(57)【要約】【課題】冷凍サイクル中の冷媒循環量を確保し、能力不足状態になることなく適正な運転ができる多室形空気調和機の運転制御方法を提供する。【解決手段】圧縮機１と室外熱交換器５を配設した室外機（図示せず）に接続された複数台の室内機（図示せず）から構成され、室外熱交換器５の出口に配設され、圧縮機吐出管１ａとレシーババイパス弁１１を介して接続されたレシーバ９を備えた多室形空気調和機の運転制御方法において、レシーバ９の入口と出口をバイパスする吐出ガスバイパス弁１０を設け、冷房運転開始時でしかも圧縮機運転周波数が設定値以上でかつ低外気温時、接続された室内機の運転台数が設定値を上回ると、吐出ガスバイパス弁１０とレシーババイパス弁１１を同時に開くもので、レシーバ９内が高圧になって液冷媒が溜まるのを防ぎ、冷凍サイクル中の冷媒循環量を確保することができる。【選択図】図１
2010210164.tif 000002
【特許請求の範囲】
【請求項１】
能力可変型の圧縮機と室外送風機と室外熱交換器と減圧装置を配設した室外機と、前記室外機に接続された複数台の室内機から構成され、前記室外熱交換器の出口に配設され、圧縮機吐出管と第１の電磁２方弁を介して接続されたレシーバを備えた多室形空気調和機の運転制御方法において、前記レシーバの入口と出口をバイパスする第２の電磁２方弁を設け、冷房運転開始時でしかも圧縮機運転周波数が設定値以上でかつ低外気温時、接続された前記室内機の運転台数が設定値を上回ると、前記第２の電磁２方弁が開くと同時に、前記第１の電磁２方弁を開くことを特徴とする多室形空気調和機の運転制御方法。
【請求項２】
能力可変型の圧縮機と室外送風機と室外熱交換器と減圧装置を配設した室外機と、前記室外機に接続された複数台の室内機から構成され、前記室外熱交換器の出口に配設され、圧縮機吐出管と第１の電磁２方弁を介して接続されたレシーバを備えた多室形空気調和機の運転制御方法において、前記レシーバの入口と出口をバイパスする第２の電磁２方弁を設け、冷房運転開始時でしかも圧縮機運転周波数が設定値以上でかつ吐出圧力が設定値以下のとき、接続された前記室内機の運転台数が設定値を上回ると、前記第２の電磁２方弁が開くと同時に、前記第１の電磁２方弁を開くことを特徴とする多室形空気調和機の運転制御方法。
【請求項３】
能力可変型の圧縮機と室外送風機と室外熱交換器と減圧装置を配設した室外機と、前記室外機に接続された複数台の室内機から構成され、前記室外熱交換器の出口に配設され、圧縮機吐出管と第１の電磁２方弁を介して接続されたレシーバを備えた多室形空気調和機の運転制御方法において、前記レシーバの入口と出口をバイパスする第２の電磁２方弁を設け、冷房運転開始時でしかも圧縮機運転周波数が設定値以上でかつ室外凝縮温度が設定値以下のとき、接続された前記室内機の運転台数が設定値を上回ると、前記第２の電磁２方弁が開くと同時に、前記第１の電磁２方弁を開くことを特徴とする多室形空気調和機の運転制御方法。
【請求項４】
能力可変型の圧縮機と室外送風機と室外熱交換器と減圧装置を配設した室外機と、前記室外機に接続された複数台の室内機から構成され、前記室外熱交換器の出口に配設され、圧縮機吐出管と第１の電磁２方弁を介して接続されたレシーバを備えた多室形空気調和機の運転制御方法において、前記レシーバの入口と出口をバイパスする第２の電磁２方弁を設け、冷房運転開始時でしかも圧縮機運転周波数が設定値以上でかつ前記室内機に設けた室内熱交換器の出口温度が設定値以上のとき、接続された前記室内機の運転台数が設定値を上回ると、前記第２の電磁２方弁が開くと同時に、前記第１の電磁２方弁を開くことを特徴とする多室形空気調和機の運転制御方法。
【請求項５】
能力可変型の圧縮機と室外送風機と室外熱交換器と減圧装置を配設した室外機と、前記室外機に接続された複数台の室内機から構成され、前記室外熱交換器の出口に配設され、圧縮機吐出管と第１の電磁２方弁を介して接続されたレシーバを備えた多室形空気調和機の運転制御方法において、前記レシーバの入口と出口をバイパスする第２の電磁２方弁を設け、冷房運転開始時でしかも圧縮機運転周波数が設定値以上でかつ前記室内機に設けた室内膨張弁の開度が設定値以上のとき、接続された前記室内機の運転台数が設定値を上回ると、前記第２の電磁２方弁が開くと同時に、前記第１の電磁２方弁を開くことを特徴とする多室形空気調和機の運転制御方法。
【発明の詳細な説明】
【技術分野】
【０００１】
本発明は、多室形空気調和機の運転制御方法に関するものである。
【背景技術】
【０００２】
従来この種の多室形空気調和機の運転制御方法を図１７に基づいて説明する。図１７は従来の多室形空気調和機の冷凍サイクル図で、レシーバ９は、室外熱交換器５の出口の膨張弁８の下流側に接続されている。ここで冷房運転時に、室外熱交換器５から出た液冷媒は、一旦レシーバ９内に溜まり、レシーバ９を出た後は、室内熱交換器２０側へ循環される。接続配管が短く、また接続される室内機の台数が少ない場合は、冷媒は、余剰冷媒としてレシーバ９内に溜めて、冷凍サイクル内を最適な冷媒循環量に調節し冷暖房能力を発揮することができるようになっている（例えば、特許文献１参照）。
【特許文献１】特許第３９４０２５３号公報
【発明の開示】
【発明が解決しようとする課題】
【０００３】
しかしながら、上記従来の多室形空気調和機の運転制御方法では、接続配管が長くかつ接続される室内機の台数が多い場合は、多くの冷媒循環量が必要とされているにも拘らず、特に、室外熱交換器５の出口において、冷媒の過冷却が取れやすい冷房低外気温条件ではレシーバ９内に冷媒が溜まってしまうため、冷媒循環量が不足し、その結果、冷房能力が不足してユーザーに不快感を与えてしまうという課題があった。
【０００４】
本発明は、前記従来の課題を解決するもので、熱交換器出口において冷媒の過冷却が取れやすい低外気温条件でもレシーバ内に圧縮機吐出ガスを導入することによって液冷媒が溜まるのを防ぎ、冷凍サイクル中の冷媒循環量を確保することが可能となるため、能力不足状態になることなく適正な運転が可能となる多室形空気調和機の運転制御方法を提供することを目的とする。
【課題を解決するための手段】
【０００５】
前記従来の課題を解決するために、本発明の多室形空気調和機の運転制御方法は、能力可変型の圧縮機と室外送風機と室外熱交換器と減圧装置を配設した室外機と、前記室外機に接続された複数台の室内機から構成され、前記室外熱交換器の出口に配設され、圧縮機吐出管と第１の電磁２方弁を介して接続されたレシーバを備えた多室形空気調和機の運転制御方法において、前記レシーバの入口と出口をバイパスする第２の電磁２方弁を設け、冷房運転開始時でしかも圧縮機運転周波数が設定値以上でかつ低外気温時、接続された前記室内機の運転台数が設定値を上回ると、前記第２の電磁２方弁が開くと同時に、前記第１の電磁２方弁を開くもので、レシーバの入口と出口管をバイパスし、しかも圧縮機からの吐出ガスがレシーバへ導入されることで、レシーバ内が高圧の雰囲気となり、液冷媒が溜まるのを防ぎ、冷凍サイクル中の冷媒循環量を確保することができる。
【０００６】
また、本発明の多室形空気調和機の運転制御方法は、能力可変型の圧縮機と室外送風機と室外熱交換器と減圧装置を配設した室外機と、前記室外機に接続された複数台の室内機から構成され、前記室外熱交換器の出口に配設され、圧縮機吐出管と第１の電磁２方弁を介して接続されたレシーバを備えた多室形空気調和機の運転制御方法において、前記レシーバの入口と出口をバイパスする第２の電磁２方弁を設け、冷房運転開始時でしかも圧縮機運転周波数が設定値以上でかつ吐出圧力が設定値以下のとき、接続された前記室内機の運転台数が設定値を上回ると、前記第２の電磁２方弁が開くと同時に、前記第１の電磁２方弁を開くもので、レシーバの入口と出口管をバイパスし、しかも圧縮機からの吐出ガス
がレシーバへ導入されることで、レシーバ内が高圧の雰囲気となり、液冷媒が溜まるのを防ぎ、冷凍サイクル中の冷媒循環量を確保することができる。
【０００７】
また、本発明の多室形空気調和機の運転制御方法は、能力可変型の圧縮機と室外送風機と室外熱交換器と減圧装置を配設した室外機と、前記室外機に接続された複数台の室内機から構成され、前記室外熱交換器の出口に配設され、圧縮機吐出管と第１の電磁２方弁を介して接続されたレシーバを備えた多室形空気調和機の運転制御方法において、前記レシーバの入口と出口をバイパスする第２の電磁２方弁を設け、冷房運転開始時でしかも圧縮機運転周波数が設定値以上でかつ室外凝縮温度が設定値以下のとき、接続された前記室内機の運転台数が設定値を上回ると、前記第２の電磁２方弁が開くと同時に、前記第１の電磁２方弁を開くもので、レシーバの入口と出口管をバイパスし、しかも圧縮機からの吐出ガスがレシーバへ導入されることで、レシーバ内が高圧の雰囲気となり、液冷媒が溜まるのを防ぎ、冷凍サイクル中の冷媒循環量を確保することができる。
【０００８】
また、本発明の多室形空気調和機の運転制御方法は、能力可変型の圧縮機と室外送風機と室外熱交換器と減圧装置を配設した室外機と、前記室外機に接続された複数台の室内機から構成され、前記室外熱交換器の出口に配設され、圧縮機吐出管と第１の電磁２方弁を介して接続されたレシーバを備えた多室形空気調和機の運転制御方法において、前記レシーバの入口と出口をバイパスする第２の電磁２方弁を設け、冷房運転開始時でしかも圧縮機運転周波数が設定値以上でかつ前記室内機に設けた室内熱交換器の出口温度が設定値以上のとき、接続された前記室内機の運転台数が設定値を上回ると、前記第２の電磁２方弁が開くと同時に、前記第１の電磁２方弁を開くもので、レシーバの入口と出口管をバイパスし、しかも圧縮機からの吐出ガスがレシーバへ導入されることで、レシーバ内が高圧の雰囲気となり、液冷媒が溜まるのを防ぎ、冷凍サイクル中の冷媒循環量を確保することができる。
【０００９】
また、本発明の多室形空気調和機の運転制御方法は、能力可変型の圧縮機と室外送風機と室外熱交換器と減圧装置を配設した室外機と、前記室外機に接続された複数台の室内機から構成され、前記室外熱交換器の出口に配設され、圧縮機吐出管と第１の電磁２方弁を介して接続されたレシーバを備えた多室形空気調和機の運転制御方法において、前記レシーバの入口と出口をバイパスする第２の電磁２方弁を設け、冷房運転開始時でしかも圧縮機運転周波数が設定値以上でかつ前記室内機に設けた室内膨張弁の開度が設定値以上のとき、接続された前記室内機の運転台数が設定値を上回ると、前記第２の電磁２方弁が開くと同時に、前記第１の電磁２方弁を開くもので、レシーバの入口と出口管をバイパスし、しかも圧縮機からの吐出ガスがレシーバへ導入されることで、レシーバ内が高圧の雰囲気となり、液冷媒が溜まるのを防ぎ、冷凍サイクル中の冷媒循環量を確保することができる。
【発明の効果】
【００１０】
本発明の多室形空気調和機の運転制御方法は、冷房運転時、レシーバ内に液冷媒が溜まるのを防ぎ冷媒循環量を確保することで冷房能力の低下を防ぐことができる。
【発明を実施するための最良の形態】
【００１１】
第１の発明は、能力可変型の圧縮機と室外送風機と室外熱交換器と減圧装置を配設した室外機と、前記室外機に接続された複数台の室内機から構成され、前記室外熱交換器の出口に配設され、圧縮機吐出管と第１の電磁２方弁を介して接続されたレシーバを備えた多室形空気調和機の運転制御方法において、前記レシーバの入口と出口をバイパスする第２の電磁２方弁を設け、冷房運転開始時でしかも圧縮機運転周波数が設定値以上でかつ低外気温時、接続された前記室内機の運転台数が設定値を上回ると、前記第２の電磁２方弁が開くと同時に、前記第１の電磁２方弁を開くもので、レシーバの入口と出口管をバイパス
し、しかも圧縮機からの吐出ガスがレシーバへ導入されることで、レシーバ内が高圧の雰囲気となり、液冷媒が溜まるのを防ぎ、冷凍サイクル中の冷媒循環量を確保することができる。
【００１２】
第２の発明は、能力可変型の圧縮機と室外送風機と室外熱交換器と減圧装置を配設した室外機と、前記室外機に接続された複数台の室内機から構成され、前記室外熱交換器の出口に配設され、圧縮機吐出管と第１の電磁２方弁を介して接続されたレシーバを備えた多室形空気調和機の運転制御方法において、前記レシーバの入口と出口をバイパスする第２の電磁２方弁を設け、冷房運転開始時でしかも圧縮機運転周波数が設定値以上でかつ吐出圧力が設定値以下のとき、接続された前記室内機の運転台数が設定値を上回ると、前記第２の電磁２方弁が開くと同時に、前記第１の電磁２方弁を開くもので、レシーバの入口と出口管をバイパスし、しかも圧縮機からの吐出ガスがレシーバへ導入されることで、レシーバ内が高圧の雰囲気となり、液冷媒が溜まるのを防ぎ、冷凍サイクル中の冷媒循環量を確保することができる。
【００１３】
第３の発明は、能力可変型の圧縮機と室外送風機と室外熱交換器と減圧装置を配設した室外機と、前記室外機に接続された複数台の室内機から構成され、前記室外熱交換器の出口に配設され、圧縮機吐出管と第１の電磁２方弁を介して接続されたレシーバを備えた多室形空気調和機の運転制御方法において、前記レシーバの入口と出口をバイパスする第２の電磁２方弁を設け、冷房運転開始時でしかも圧縮機運転周波数が設定値以上でかつ室外凝縮温度が設定値以下のとき、接続された前記室内機の運転台数が設定値を上回ると、前記第２の電磁２方弁が開くと同時に、前記第１の電磁２方弁を開くもので、レシーバの入口と出口管をバイパスし、しかも圧縮機からの吐出ガスがレシーバへ導入されることで、レシーバ内が高圧の雰囲気となり、液冷媒が溜まるのを防ぎ、冷凍サイクル中の冷媒循環量を確保することができる。
【００１４】
第４の発明は、能力可変型の圧縮機と室外送風機と室外熱交換器と減圧装置を配設した室外機と、前記室外機に接続された複数台の室内機から構成され、前記室外熱交換器の出口に配設され、圧縮機吐出管と第１の電磁２方弁を介して接続されたレシーバを備えた多室形空気調和機の運転制御方法において、前記レシーバの入口と出口をバイパスする第２の電磁２方弁を設け、冷房運転開始時でしかも圧縮機運転周波数が設定値以上でかつ前記室内機に設けた室内熱交換器の出口温度が設定値以上のとき、接続された前記室内機の運転台数が設定値を上回ると、前記第２の電磁２方弁が開くと同時に、前記第１の電磁２方弁を開くもので、レシーバの入口と出口管をバイパスし、しかも圧縮機からの吐出ガスがレシーバへ導入されることで、レシーバ内が高圧の雰囲気となり、液冷媒が溜まるのを防ぎ、冷凍サイクル中の冷媒循環量を確保することができる。
【００１５】
第５の発明は、能力可変型の圧縮機と室外送風機と室外熱交換器と減圧装置を配設した室外機と、前記室外機に接続された複数台の室内機から構成され、前記室外熱交換器の出口に配設され、圧縮機吐出管と第１の電磁２方弁を介して接続されたレシーバを備えた多室形空気調和機の運転制御方法において、前記レシーバの入口と出口をバイパスする第２の電磁２方弁を設け、冷房運転開始時でしかも圧縮機運転周波数が設定値以上でかつ前記室内機に設けた室内膨張弁の開度が設定値以上のとき、接続された前記室内機の運転台数が設定値を上回ると、前記第２の電磁２方弁が開くと同時に、前記第１の電磁２方弁を開くもので、レシーバの入口と出口管をバイパスし、しかも圧縮機からの吐出ガスがレシーバへ導入されることで、レシーバ内が高圧の雰囲気となり、液冷媒が溜まるのを防ぎ、冷凍サイクル中の冷媒循環量を確保することができる。
【００１６】
以下、本発明の実施の形態について、図面を参照しながら説明する。なお、この実施の形態によって本発明が限定されるものではない。
【００１７】
（実施の形態１）
本発明の第１の実施の形態における多室形空調機の運転制御方法について図１〜４を用いて説明する。図１は、本実施の形態における多室形空気調和機の運転制御方法を用いた多室形空気調和機の冷凍サイクル図、図２は、同多室形空調機の運転制御方法を示す制御ブロック図である。
【００１８】
図１において、本実施の形態における多室形空調機は、１台の室外機（図示せず）と、前記室外機に接続された複数の室内機（図示せず）から構成され、それぞれ、能力可変型の圧縮機１と、クランクケースヒータ２と、４方弁３と、オイルセパレータ４と、室外熱交換器５と、室外送風機６と、外気温度センサー７と、減圧装置としての膨張弁８と、レシーバ９と、第１の電磁２方弁であるレシーババイパス弁１１と、室内膨張弁１２と、室内熱交換器１３と、室内送風機１４と、室内配管温度センサー１５と、室内吸込み温度センサー１６を備えている。
【００１９】
レシーバ９は、室外熱交換器５の出口側で膨張弁８の下流側に、吐出ガスバイパス弁１０及び入口出口バイパス管１０ａを介して接続されている。入口出口バイパス管１０ａの途中には、レシーバ９の入口と出口をバイパスする第２の電磁２方弁である吐出ガスバイパス弁１０が設けられている。
【００２０】
図２において、３１は、冷房、暖房その他の運転モードを検出する運転モード検出装置、３２は、圧縮機運転周波数検出装置、３４は、外気温度センサー７で検出された外気温を記憶する外気温記憶装置、３５は、室内機接続運転台数検出装置、３６は、室内機接続運転台数記憶装置、３７は、圧縮機吐出ガスバイパス弁駆動装置、３８は、レシーバ入出口管バイパス弁駆動装置である。
【００２１】
以下この制御ブロック図に基づいて、本実施の形態における多室形空気調和機の運転制御方法を、図３のフローチャート及び図４のタイムチャートを用いて説明する。
【００２２】
冷房運転時でしかも起動制御中は、圧縮機周波数はＨｚ１で運転している。起動制御終了後、圧縮機運転周波数は、設定周波数Ｈｚ２まで上昇し、このとき接続運転室内機台数が設定値Ｉｎ１を超えている。しかも、外気温が設定値ＴＯ１を下回っているため、吐出ガスバイパス弁１０及びレシーババイパス弁１１が開く。
【００２３】
これは、外気温が低いと室外熱交換器５の出口の冷媒の過冷却度が取れ、レシーバ９内は満液であると推定されるにも拘らず、圧縮機運転周波数が高く、しかも室内機運転台数が多いので、冷凍サイクル中を循環する冷媒量が不足していると判断し、吐出ガスをレシーバ９内へ導入して高圧の雰囲気とし、レシーバ９内に溜まっている液冷媒を追い出すことができる。また同時に、レシーババイパス弁１１が開くので、室外熱交換器５から吐出された液冷媒は、レシーバ９内に溜まることなく冷凍サイクル中へ循環する。これらにより冷凍サイクル中の冷媒循環量を増加させ、冷房能力を最大限に発揮する。
【００２４】
（実施の形態２）
図５は、本発明の第２の実施の形態における多室形空気調和機の運転制御方法を示す制御ブロック図、図６は、同多室形空気調和機の運転制御方法を示すフローチャート、図７は、同多室形空気調和機の運転制御方法を示すタイムチャートである。尚、上記第１の実施の形態における多室形空気調和機と同一部分には、同一符号を付してその説明を省略する。
【００２５】
図５〜７において、４３は、吐出圧力検出装置、４４は、吐出圧力記憶装置である。こ
れらの図を用いて、吐出ガスバイパス弁及びレシーババイパス弁の動作を説明する。
【００２６】
冷房運転時でしかも、起動制御中、圧縮機周波数は起動周波数Ｈｚ１で運転している。起動制御終了後、圧縮機運転周波数は設定周波数Ｈｚ２まで上昇し、このとき接続運転室内機台数が設定値Ｉｎ１を超えており、しかも吐出圧力が設定値Ｐｏ１を下回っているため、吐出ガスバイパス弁１０及びレシーババイパス弁１１が開く。
【００２７】
これは吐出圧力が低いと室外熱交換器５の出口の冷媒の過冷却度が取れ、レシーバ９内は満液であると推定されるにも拘らず、圧縮機運転周波数が高く、しかも室内機運転台数が多いので、冷凍サイクル中を循環する冷媒量が不足していると判断し、吐出ガスをレシーバ９内へ導入して高圧の雰囲気とし、レシーバ９内に溜まっている液冷媒を追い出すことができる。また同時にレシーババイパス弁１１が開くので室外熱交換器５から吐出された液冷媒は、レシーバ９内に溜まることなく冷凍サイクル中へ循環する。これらにより冷凍サイクル中の冷媒循環量を増加させ、冷房能力を最大限に発揮する。
【００２８】
（実施の形態３）
図８は、本発明の第３の実施の形態における多室形空気調和機の運転制御方法を示す制御ブロック図、図９は、同多室形空気調和機の運転制御方法を示すフローチャート、図１０は、同多室形空気調和機の運転制御方法を示すタイムチャートである。尚、上記実施の形態における多室形空気調和機と同一部分には、同一符号を付してその説明を省略する。図８〜１０において、５３は、室外凝縮温度検出装置、５４は、室外凝縮温度記憶装置である。これらの図を用いて吐出ガスバイパス弁１０及びレシーババイパス弁１１の動作を説明する。
【００２９】
冷房運転時でしかも起動制御中、圧縮機周波数は起動周波数Ｈｚ１で運転している。起動制御終了後、圧縮機運転周波数は、設定周波数Ｈｚ２まで上昇し、このとき接続運転室内機台数が設定値Ｉｎ１を超えており、しかも室外凝縮温度が、設定値Ｔｓｏ１を下回っているため、吐出ガスバイパス弁１０及びレシーババイパス弁１１が開く。
【００３０】
これは、凝縮温度が低いと室外熱交換器出口の冷媒の過冷却度が取れ、レシーバ９内は満液であると推定されるにも拘らず、圧縮機運転周波数が高く、しかも室内機運転台数が多いので、冷凍サイクル中を循環する冷媒量が不足していると判断し、吐出ガスをレシーバ９内へ導入して高圧の雰囲気とし、レシーバ９内に溜まっている液冷媒を追い出すことができる。また同時にレシーババイパス弁１１が開くので室外熱交換器５から吐出された液冷媒は、レシーバ９内に溜まることなく冷凍サイクル中へ循環する。これらにより冷凍サイクル中の冷媒循環量を増加させ、冷房能力を最大限に発揮する。
【００３１】
（実施の形態４）
図１１は、本発明の第４の実施の形態における多室形空気調和機の運転制御方法を示す制御ブロック図、図１２は、同多室形空気調和機の運転制御方法を示すフローチャート、図１３は、同多室形空気調和機の運転制御方法を示すタイムチャートである。尚、上記実施の形態における多室形空気調和機と同一部分には、同一符号を付してその説明を省略する。
【００３２】
図１１〜１３において、６３は、室内熱交温度検出装置、６４は室内熱交温度記憶装置である。これらの図を用いて吐出ガスバイパス弁１０及びレシーババイパス弁１１の動作を説明する。
【００３３】
冷房運転時でしかも起動制御中、圧縮機周波数は、起動周波数Ｈｚ１で運転している。起動制御終了後、圧縮機運転周波数は、設定周波数Ｈｚ２まで上昇し、このとき接続運転
室内機台数が設定値Ｉｎ１を超えており、しかも各室内機の室内熱交換器１３の出口温度を平均した値が設定値Ｔｅ１を上回っているため、吐出ガスバイパス弁１０及びレシーババイパス弁１２が開く。
【００３４】
これは、室内熱交出口温度が高いと冷媒不足で過熱度が取れていると推定されるにも拘らず、圧縮機運転周波数が高く、しかも室内機運転台数が多いので、冷凍サイクル中を循環する冷媒量が不足していると判断し、吐出ガスを、レシーバ９内へ導入して高圧の雰囲気とし、レシーバ９内に溜まっている液冷媒を追い出すことができる。また同時にレシーババイパス弁１２が開くので、室外熱交換器５から吐出された液冷媒は、レシーバ９内に溜まることなく冷凍サイクル中へ循環する。これらにより冷凍サイクル中の冷媒循環量を増加させ、冷房能力を最大限に発揮する。
【００３５】
（実施の形態５）
図１４は、本発明の第５の実施の形態における多室形空気調和機の運転制御方法を示す制御ブロック図、図１５は、同多室形空気調和機の運転制御方法を示すフローチャート、図１６は、同多室形空気調和機の運転制御方法を示すタイムチャートである。尚、上記実施の形態における多室形空気調和機と同一部分には、同一符号を付してその説明を省略する。
【００３６】
図１４〜１６において、７３は、室内膨張弁開度検出装置、７４は、室内膨張弁開度記憶装置である。これらの図を用いて吐出ガスバイパス弁１０及びレシーババイパス弁１１の動作を説明する。冷房運転時でしかも起動制御中、圧縮機周波数は起動周波数Ｈｚ１で運転している。起動制御終了後、圧縮機運転周波数は、設定周波数Ｈｚ２まで上昇し、このとき接続運転室内機台数が設定値Ｉｎ１を超えており、しかも各室内機の室内膨張弁１２の開度を平均した値が設定値Ｐｓ１を上回っているため、吐出ガスバイパス弁１０及びレシーババイパス弁１１が開く。
【００３７】
これは、室内膨張弁開度が大きいと冷媒不足で過熱度が取れていると推定されるにも拘らず、圧縮機運転周波数が高く、しかも室内機運転台数が多いので、冷凍サイクル中を循環する冷媒量が不足していると判断し、吐出ガスをレシーバ９内へ導入して高圧の雰囲気とし、レシーバ９内に溜まっている液冷媒を追い出すことができる。また同時にレシーババイパス弁１１が開くので室外熱交換器５から吐出された液冷媒は、レシーバ９内に溜まることなく冷凍サイクル中へ循環する。これらにより冷凍サイクル中の冷媒循環量を増加させ、冷房能力を最大限に発揮する。
【産業上の利用可能性】
【００３８】
以上のように、本発明にかかる多室形空気調和機の運転制御方法は、冷房能力を低下させることなく冷凍サイクル中の冷媒循環量を最適に制御することができるので、業務用、店舗用多室形空気調和機のレシーバ制御等の用途にも適用できる。
【図面の簡単な説明】
【００３９】
【図１】本発明の第１の実施の形態における多室形空気調和機の運転制御方法を用いた多室形空気調和機の冷凍サイクル図
【図２】同多室形空調機の運転制御方法を示す制御ブロック図
【図３】同多室形空気調和機の運転制御方法を示すフローチャート
【図４】同多室形空気調和機の運転制御方法を示すタイムチャート
【図５】本発明の第２の実施の形態における同多室形空調機の運転制御方法を示す制御ブロック図
【図６】同多室形空気調和機の運転制御方法を示すフローチャート
【図７】同多室形空気調和機の運転制御方法を示すタイムチャート
【図８】本発明の第３の実施の形態における同多室形空調機の運転制御方法を示す制御ブロック図
【図９】同多室形空気調和機の運転制御方法を示すフローチャート
【図１０】同多室形空気調和機の運転制御方法を示すタイムチャート
【図１１】本発明の第４の実施の形態における同多室形空調機の運転制御方法を示す制御ブロック図
【図１２】同多室形空気調和機の運転制御方法を示すフローチャート
【図１３】同多室形空気調和機の運転制御方法を示すタイムチャート
【図１４】本発明の第５の実施の形態における同多室形空調機の運転制御方法を示す制御ブロック図
【図１５】同多室形空気調和機の運転制御方法を示すフローチャート
【図１６】同多室形空気調和機の運転制御方法を示すタイムチャート
【図１７】従来の多室形空気調和機の冷凍サイクル図
【符号の説明】
【００４０】
１  圧縮機
１ａ  圧縮機吐出管
３  ４方弁
４  オイルセパレータ
５  室外熱交換器
６  室外送風機
７  外気温度センサー
８  膨張弁（減圧装置）
９  レシーバ
１０  吐出ガスバイパス弁（第２の電磁２方弁）
１１  レシーババイパス弁（第１の電磁２方弁）
１２  室内膨張弁
【図１】
2010210164.tif 000003
【図２】
2010210164.tif 000004
【図３】
2010210164.tif 000005
【図４】
2010210164.tif 000006
【図５】
2010210164.tif 000007
【図６】
2010210164.tif 000008
【図７】
2010210164.tif 000009
【図８】
2010210164.tif 000010
【図９】
2010210164.tif 000011
【図１０】
2010210164.tif 000012
【図１１】
2010210164.tif 000013
【図１２】
2010210164.tif 000014
【図１３】
2010210164.tif 000015
【図１４】
2010210164.tif 000016
【図１５】
2010210164.tif 000017
【図１６】
2010210164.tif 000018
【図１７】
2010210164.tif 000019